(57)【要約】【課題】電動ポンプの運転を自動運転と手動運転とに切り替えることが可能な電動ポンプシステムにおいて、電動ポンプの運転が手動運転に切り替えられて放置された場合にも、排水を適切に行うことが可能な電動ポンプシステムを提供する。【解決手段】この電動ポンプシステム１００は、複数の水中電動ポンプ３ａおよび３ｂと、排水される領域の水位を検知する水位検知部４と、水位検知部４により検知した水位に基づいて、複数の水中電動ポンプ３ａおよび３ｂを交互に運転させる制御装置１とを備える。そして、制御装置１は、水中電動ポンプ３ａおよび３ｂの運転を自動運転と手動運転とに切り替え可能であり、水中電動ポンプ３ａおよび３ｂが手動運転に設定されている場合に、水位検知部４により所定の水位を検知したことに基づいて、水中電動ポンプ３ａおよび３ｂを自動運転に切り替えるように構成されている。【選択図】図１
2018091215.tif 000002
【特許請求の範囲】
【請求項１】
複数の電動ポンプと、
前記複数の電動ポンプにより排水される領域の水位を検知する水位検知部と、
前記水位検知部により検知した水位に基づいて、前記複数の電動ポンプを交互に運転させる制御装置とを備え、
前記制御装置は、前記電動ポンプの運転を自動運転と手動運転とに切り替え可能であり、前記電動ポンプが手動運転に設定されている場合に、前記水位検知部により所定の水位を検知したことに基づいて、前記電動ポンプを自動運転に切り替えるように構成されている、電動ポンプシステム。
【請求項２】
前記制御装置は、前記電動ポンプが手動運転に設定されている場合に、自動運転において前記電動ポンプを運転させる水位を前記水位検知部により検知したことに基づいて、前記電動ポンプを自動運転に切り替えるように構成されている、請求項１に記載の電動ポンプシステム。
【請求項３】
前記制御装置は、前記電動ポンプが手動運転に切り替えられてから、操作入力が所定時間ない場合に、前記電動ポンプを自動運転に切り替えるように構成されている、請求項１または２に記載の電動ポンプシステム。
【請求項４】
前記電動ポンプを手動運転する場合、前記複数の電動ポンプを１台ずつ手動により運転させることが可能に構成されている、請求項１〜３のいずれか１項に記載の電動ポンプシステム。
【請求項５】
複数の電動ポンプにより排水される領域の水位を検知する水位検知部により検知された水位に基づいて、前記複数の電動ポンプを交互に運転させる制御部と、
操作部とを備え、
前記制御部は、前記操作部による操作入力に基づいて前記電動ポンプの運転を自動運転と手動運転とに切り替え可能であり、前記電動ポンプが手動運転に設定されている場合に、前記水位検知部により所定の水位を検知したことに基づいて、前記電動ポンプを自動運転に切り替えるように構成されている、電動ポンプ交互運転制御装置。
【請求項６】
前記制御部は、前記電動ポンプが手動運転に切り替えられてから、前記操作部による操作入力が所定時間ない場合に、前記電動ポンプを自動運転に切り替えるように構成されている、請求項５に記載の電動ポンプ交互運転制御装置。
【発明の詳細な説明】
【技術分野】
【０００１】
この発明は、電動ポンプシステムおよび電動ポンプ交互運転制御装置に関する。
【背景技術】
【０００２】
従来、電動ポンプシステムが知られている（たとえば、特許文献１参照）。
【０００３】
上記特許文献１には、２台のポンプと、２台のポンプを交互運転させる制御盤とを備える汚水搬送ポンプ装置（電動ポンプシステム）が開示されている。
【先行技術文献】
【特許文献】
【０００４】
【特許文献１】特開２０１５−０３４５１３号公報
【発明の概要】
【発明が解決しようとする課題】
【０００５】
上記特許文献１のような従来の電動ポンプシステムでは、ポンプの運転を自動運転から手動運転に切り替えて、各々のポンプを手動運転させることが可能であると考えられる。この場合、ポンプの運転が手動運転に切り替えられたまま放置されると、ポンプの運転が自動で行われないので、排水を適切に行うことができなくなるという問題点がある。
【０００６】
この発明は、上記のような課題を解決するためになされたものであり、この発明の１つの目的は、電動ポンプの運転を自動運転と手動運転とに切り替えることが可能な電動ポンプシステムにおいて、電動ポンプの運転が手動運転に切り替えられて放置された場合にも、排水を適切に行うことが可能な電動ポンプシステムおよび電動ポンプ交互運転制御装置を提供することである。
【課題を解決するための手段】
【０００７】
この発明の第１の局面による電動ポンプシステムは、複数の電動ポンプと、複数の電動ポンプにより排水される領域の水位を検知する水位検知部と、水位検知部により検知した水位に基づいて、複数の電動ポンプを交互に運転させる制御装置とを備え、制御装置は、電動ポンプの運転を自動運転と手動運転とに切り替え可能であり、電動ポンプが手動運転に設定されている場合に、水位検知部により所定の水位を検知したことに基づいて、電動ポンプを自動運転に切り替えるように構成されている。
【０００８】
この発明の第１の局面による電動ポンプシステムでは、上記のように、電動ポンプの運転を自動運転と手動運転とに切り替え可能であり、電動ポンプが手動運転に設定されている場合に、水位検知部により所定の水位を検知したことに基づいて、電動ポンプを自動運転に切り替える制御装置を設ける。これにより、水位検知部により所定の水位を検知して水を排水する必要が生じた場合において、電動ポンプが手動運転に設定された状態が継続して電動ポンプが運転しないのを防止することができる。たとえば、電動ポンプを手動運転に設定して、自動運転に切り替えるのを忘れて放置された場合でも、電動ポンプの運転を自動運転に切り替えることができるので、排水領域の水があふれるのを抑制することができる。その結果、電動ポンプの運転を自動運転と手動運転とに切り替えることが可能な電動ポンプシステムにおいて、電動ポンプの運転が手動運転に切り替えられて放置された場合にも、排水を適切に行うことができる。
【０００９】
上記第１の局面による電動ポンプシステムにおいて、好ましくは、制御装置は、電動ポンプが手動運転に設定されている場合に、自動運転において電動ポンプを運転させる水位を水位検知部により検知したことに基づいて、電動ポンプを自動運転に切り替えるように構成されている。このように構成すれば、電動ポンプが手動運転に設定されている場合でも、排水すべき水位になった時点で、電動ポンプの運転を手動運転から自動運転に自動的に切り替えることができる。
【００１０】
上記第１の局面による電動ポンプシステムにおいて、好ましくは、制御装置は、電動ポンプが手動運転に切り替えられてから、操作入力が所定時間ない場合に、電動ポンプを自動運転に切り替えるように構成されている。このように構成すれば、誤操作により電動ポンプが手動運転に切り替えられた場合でも、所定時間経過後に自動運転に戻すことができるので、誤操作により電動ポンプが手動運転の状態で放置されるのを防止することができる。
【００１１】
上記第１の局面による電動ポンプシステムにおいて、好ましくは、電動ポンプを手動運転する場合、複数の電動ポンプを１台ずつ手動により運転させることが可能に構成されている。このように構成すれば、手動運転において、電動ポンプを１台ずつ試運転することができるので、手動運転により各々の電動ポンプが運転可能な状態であるか容易に確認することができる。
【００１２】
この発明の第２の局面による電動ポンプ交互運転制御装置は、複数の電動ポンプにより排水される領域の水位を検知する水位検知部により検知された水位に基づいて、複数の電動ポンプを交互に運転させる制御部と、操作部とを備え、制御部は、操作部による操作入力に基づいて電動ポンプの運転を自動運転と手動運転とに切り替え可能であり、電動ポンプが手動運転に設定されている場合に、水位検知部により所定の水位を検知したことに基づいて、電動ポンプを自動運転に切り替えるように構成されている。
【００１３】
この発明の第２の局面による電動ポンプ交互運転制御装置では、上記のように、操作部による操作入力に基づいて電動ポンプの運転を自動運転と手動運転とに切り替え可能であり、電動ポンプが手動運転に設定されている場合に、水位検知部により所定の水位を検知したことに基づいて、電動ポンプを自動運転に切り替える制御部を設ける。これにより、水位検知部により所定の水位を検知して水を排水する必要が生じた場合において、電動ポンプが手動運転に設定された状態が継続して電動ポンプが運転しないのを防止することができる。たとえば、電動ポンプを手動運転に設定して、自動運転に切り替えるのを忘れて放置された場合でも、電動ポンプの運転を自動運転に切り替えることができるので、排水領域の水があふれるのを抑制することができる。その結果、電動ポンプの運転を自動運転と手動運転とに切り替えることが可能な電動ポンプシステムにおいて、電動ポンプの運転が手動運転に切り替えられて放置された場合にも、排水を適切に行うことが可能な電動ポンプ交互運転制御装置を提供することができる。
【００１４】
上記第２の局面による電動ポンプ交互運転制御装置において、好ましくは、制御部は、電動ポンプが手動運転に切り替えられてから、操作部による操作入力が所定時間ない場合に、電動ポンプを自動運転に切り替えるように構成されている。このように構成すれば、誤操作により電動ポンプが手動運転に切り替えられた場合でも、所定時間経過後に自動運転に戻すことができるので、誤操作により電動ポンプが手動運転の状態で放置されるのを防止することができる。
【発明の効果】
【００１５】
本発明によれば、上記のように、電動ポンプの運転を自動運転と手動運転とに切り替えることが可能な電動ポンプシステムにおいて、電動ポンプの運転が手動運転に切り替えられて放置された場合にも、排水を適切に行うことができる。
【図面の簡単な説明】
【００１６】
【図１】本発明の一実施形態による電動ポンプシステムを示したブロック図である。
【図２】本発明の一実施形態による電動ポンプシステムの制御装置の通知部および操作部の一例を示した図である。
【図３】本発明の一実施形態による電動ポンプシステムの制御装置によるポンプ交互運転処理を説明するためのフローチャートである。
【図４】本発明の一実施形態による電動ポンプシステムの制御装置による通知処理を説明するためのフローチャートである。
【図５】本発明の一実施形態による電動ポンプシステムの第１動作例を説明するための図である。
【図６】本発明の一実施形態による電動ポンプシステムの第２動作例を説明するための図である。
【図７】本発明の一実施形態による電動ポンプシステムの第３動作例を説明するための図である。
【図８】本発明の一実施形態による電動ポンプシステムの制御装置によるモード切替処理を説明するためのフローチャートである。
【図９】本発明の一実施形態による電動ポンプシステムの制御装置による手動運転における水中電動ポンプ切替処理を説明するためのフローチャートである。
【発明を実施するための形態】
【００１７】
以下、本発明の実施形態を図面に基づいて説明する。
【００１８】
（電動ポンプシステムの構成）
図１〜図９を参照して、本発明の一実施形態について説明する。本実施形態による電動ポンプシステム１００は、タンク２に流入する水を排水するように構成されている。電動ポンプシステム１００は、図１に示すように、制御装置１と、タンク２と、水中電動ポンプ３ａおよび３ｂと、水位検知部４とを備えている。また、電動ポンプシステム１００は、電力を供給する電力供給部５に接続されている。制御装置１は、制御部１１と、通知部１２と、操作部１３とを含んでいる。なお、制御装置１は、特許請求の範囲の「制御装置」および「電動ポンプ交互運転制御装置」の一例である。また、水中電動ポンプ３ａおよび３ｂは、特許請求の範囲の「電動ポンプ」の一例である。
【００１９】
制御装置１は、タンク２内に設けられた水中電動ポンプ３ａおよび３ｂの交互運転を制御するように構成されている。具体的には、制御装置１の制御部１１は、水位検知部４により検知した水位に基づいて、複数の水中電動ポンプ３ａおよび３ｂを交互に運転させるように構成されている。つまり、制御装置１（制御部１１）は、タンク２内の水位がＯＮ水位以上になったことに基づいて、水中電動ポンプ３ａおよび３ｂのうち一方を運転させて、タンク２内の水を排水させる。その後、制御装置１（制御部１１）は、タンク２内の水位がＯＦＦ水位以下になったことに基づいて、運転中の水中電動ポンプ３ａまたは３ｂの運転を停止させる。そして、制御装置１（制御部１１）は、次に、タンク２内の水位がＯＮ水位以上になった場合は、水中電動ポンプ３ａおよび３ｂのうち他方を運転させて、タンク２内の水を排水させる。その後、制御装置１（制御部１１）は、同様に水中電動ポンプ３ａおよび３ｂを交互に運転させながら、タンク２内の水を排水させる。
【００２０】
制御部１１は、複数の水中電動ポンプ３ａおよび３ｂのうち同一の水中電動ポンプについて、運転時間が第１所定時間を２以上の所定回数（たとえば、３回）超過したことに基づいて、警告通知を行うように構成されている。具体的には、制御部１１は、複数の水中電動ポンプ３ａおよび３ｂのうち同一の水中電動ポンプについて、運転時間が第１所定時間を２以上の所定回数連続して超過したことに基づいて、警告通知を行うように構成されている。なお、第１所定時間は、タンク２の容量、水中電動ポンプ３ａおよび３ｂの性能、タンク２内に流入する水の平均量などに基づいて設定される。
【００２１】
また、制御部１１は、運転中の水中電動ポンプ３ａまたは３ｂの運転時間が第１所定時間を超過した場合に、予備警告通知を行うように構成されている。また、制御部１１は、運転時の運転時間が第１所定時間を超過して予備警告通知が行われている水中電動ポンプ３ａまたは３ｂについて、次の運転時の運転時間が第１所定時間以内である場合に、予備警告通知を解除するように構成されている。
【００２２】
また、制御部１１は、運転中の水中電動ポンプ３ａまたは３ｂの運転時間が第１所定時間を超過した場合に、運転中の水中電動ポンプ３ａまたは３ｂの運転を継続しながら、複数の水中電動ポンプ３ａおよび３ｂのうち運転停止中の水中電動ポンプを運転させるように構成されている。また、制御部１１は、運転中の水中電動ポンプ３ａまたは３ｂの運転時間が第１所定時間を超過した場合に、運転中の水中電動ポンプ３ａまたは３ｂの運転を継続しながら、運転停止中の水中電動ポンプ３ａまたは３ｂを運転させた場合において、運転時間が第２所定時間を超過したことに基づいて、予備警告通知を行うように構成されている。
【００２３】
また、制御部１１は、複数の水中電動ポンプ３ａおよび３ｂに対する電力の供給を切り替えることにより、複数の水中電動ポンプ３ａおよび３ｂを交互に運転させる制御を行うように構成されている。つまり、制御部１１は、水中電動ポンプ３ａ（３ｂ）に電力を供給することにより、水中電動ポンプ３ａ（３ｂ）を運転させるとともに、水中電動ポンプ３ａ（３ｂ）への電力の供給を停止することにより、水中電動ポンプ３ａ（３ｂ）の運転を停止させるように構成されている。制御部１１は、運転時間が第１所定時間を２以上の所定回数（たとえば、３回）連続して超過した水中電動ポンプ３ａまたは３ｂについて、今後の運転を中止するように構成されている。
【００２４】
また、制御部１１は、ユーザの操作部１３の操作により、水中電動ポンプ３ａおよび３ｂを手動運転（マニュアル運転）モードで運転させるように構成されている。つまり、制御部１１は、ユーザの操作部１３による操作入力に基づいて、水中電動ポンプ３ａおよび３ｂの運転を、自動運転と手動運転とに切り替えることが可能に構成されている。具体的には、制御部１１は、水中電動ポンプ３ａまたは３ｂの試験運転操作が行われた場合、指定された水中電動ポンプを強制運転させるように構成されている。また、水中電動ポンプ３ａおよび３ｂを手動運転する場合、複数の水中電動ポンプ３ａおよび３ｂを１台ずつ手動により運転させることが可能に構成されている。
【００２５】
ここで、本実施形態では、制御部１１は、水中電動ポンプ３ａまたは３ｂが手動運転に設定されている場合に、水位検知部４により所定の水位を検知したことに基づいて、水中電動ポンプ３ａおよび３ｂを自動運転に切り替えるように構成されている。具体的には、制御部１１は、水中電動ポンプ３ａまたは３ｂが手動運転に設定されている場合に、自動運転において水中電動ポンプ３ａまたは３ｂを運転させる水位を水位検知部４により検知したことに基づいて、水中電動ポンプ３ａおよび３ｂを自動運転に切り替えるように構成されている。つまり、制御部１１は、手動運転モードに設定されている場合に、水位検知部４がＯＮ水位以上を検知した場合に、自動運転モードに切り替えて、水中電動ポンプ３ａまたは３ｂを運転させるように構成されている。
【００２６】
また、本実施形態では、制御部１１は、水中電動ポンプ３ａまたは３ｂが手動運転に切り替えられてから、操作部１３による操作入力が所定時間ない場合に、水中電動ポンプ３ａおよび３ｂを自動運転に切り替えるように構成されている。たとえば、制御部１１は、手動運転モードに設定された場合に、所定時間（たとえば、１０秒）以内に起動／停止、あるいは運転モード切り替えの操作が行われなかった場合、手動運転モードから自動で交互運転を行う自動運転モードに切り替えるように構成されている。これらにより、誤操作で手動運転モードに切り替えられた場合や、手動運転モードから自動運転モードに切り替え忘れた場合でも、自動で自動運転モードに切り替えることが可能である。
【００２７】
通知部１２は、ＬＥＤを含み、光により警告を通知するように構成されている。通知部１２は、たとえば、図２に示すように、電源のＯＮ／ＯＦＦを示すＬＥＤ、運転の状態を示すＬＥＤ、自動交互運転（自動運転モード）を示すＬＥＤ、１号ポンプ（水中電動ポンプ３ａ）のＬＥＤ、２号ポンプ（水中電動ポンプ３ｂ）のＬＥＤ、手動運転（マニュアル運転モード）を示すＬＥＤ、および、警告ＬＥＤを含んでいる。通知部１２の各ＬＥＤは、点灯、点滅により状態や警告を通知するように構成されている。特に、水中電動ポンプ３ａのＬＥＤ、水中電動ポンプ３ｂのＬＥＤおよび警告ＬＥＤは、点灯、点滅により警告を通知するように構成されている。なお、通知部１２は音により警告を通知してもよい。
【００２８】
操作部１３は、制御装置１へのユーザの操作を受け付けるように構成されている。たとえば、操作部１３は、電動ポンプシステム１００の電源のＯＮ／ＯＦＦ操作を受け付けるように構成されている。操作部１３は、水中電動ポンプ３ａおよび３ｂの運転を自動運転と手動運転とに切り替える操作を受け付けるように構成されている。また、操作部１３は、第１所定時間および第２所定時間の設定操作を受け付けるように構成されている。操作部１３は、たとえば、図２に示すように、モード切替ボタンおよび起動／停止ボタンを含んでいる。モード切替ボタンは、自動で交互運転を行う自動運転モードと、手動で運転させるマニュアル運転モードとを切り替えるために操作されるように構成されている。起動／停止ボタンは、マニュアル運転モード時に水中電動ポンプ３ａまたは３ｂの運転を手動で起動／停止させるために操作されるように構成されている。
【００２９】
水中電動ポンプ３ａおよび３ｂは、タンク２内に配置されている。また、水中電動ポンプ３ａおよび３ｂは、タンク２内の水を外部に排水するように構成されている。また、水中電動ポンプ３ａおよび３ｂは、制御装置１から電力が供給させることにより運転するように構成されている。また、水中電動ポンプ３ａおよび３ｂは、水中でも使用可能に構成されている。
【００３０】
水位検知部４は、複数の水中電動ポンプ３ａおよび３ｂにより排水される領域（タンク２内）の水位を検知するように構成されている。具体的には、水位検知部４は、タンク２から水を排水する必要があるＯＮ水位と、タンク２から水が略抜けた状態のＯＦＦ水位とを検知するように構成されている。つまり、ＯＮ水位は、水位検知部４がＯＮになる位置の水位であり、ＯＦＦ水位は、水位検知部４がＯＦＦになる位置の水位である。水位検知部４は、制御装置１に接続されている。また、水位検知部４は、水位検知信号を制御装置１に送信するように構成されている。水位検知部４は、たとえば、フロート式スイッチや、電極式スイッチなどにより構成されている。
【００３１】
電力供給部５は、制御装置１に電力を供給するように構成されている。また、電力供給部５は、制御装置１を介して、水中電動ポンプ３ａおよび３ｂに電力を供給するように構成されている。なお、電力供給部５は、商用電力を供給してもよいし、バッテリなどから電力を供給してもよい。また、電力供給部５は、交流電力を供給してもよいし、直流電力を供給してもよい。
【００３２】
（ポンプ交互運転処理）
図３を参照して、制御装置１（制御部１１）によるポンプ交互運転処理について説明する。
【００３３】
電動ポンプシステム１００が起動されると、ステップＳ１において、制御部１１は、タンク２内の水位を判断する。具体的には、制御部１１は、水位検知部４の検知結果に基づいて、タンク２内の水位がＯＮ水位以上か、ＯＮ水位後ＯＦＦ水位以下となったか、または、それ以外かを判断する。それ以外であれば、ステップＳ１の判断が繰り返される。タンク２内の水位が、ＯＮ水位以上と判断されれば、ステップＳ２に進み、タンク２内の水位が、ＯＮ水位以上に増加した後、ＯＦＦ水位以下に低下したと判断されれば、ステップＳ９に進む。
【００３４】
ステップＳ２において、制御部１１は、メインポンプが水中電動ポンプ３ａであるか、または、水中電動ポンプ３ｂであるかを判断する。メインポンプが水中電動ポンプ３ａであれば、ステップＳ３に進み、メインポンプが水中電動ポンプ３ｂであれば、ステップＳ６に進む。
【００３５】
ステップＳ３において、制御部１１は、水中電動ポンプ３ａをＯＮにする。具体的には、制御部１１は、水中電動ポンプ３ａに電力を供給して、水中電動ポンプ３ａを運転させる。また、制御部１１は、通知部１２の水中電動ポンプ３ａのＬＥＤをＯＮにする（点灯させる）。
【００３６】
ステップＳ４において、制御部１１は、水中電動ポンプ３ａの運転時間が第１所定時間を超過しているか否かを判断する。運転時間が第１所定時間を超過していれば、ステップＳ５に進み、運転時間が第１所定時間を超過していなければ、ステップＳ１に戻る。ステップＳ５において、制御部１１は、水中電動ポンプ３ｂをＯＮにする。具体的には、制御部１１は、水中電動ポンプ３ｂに電力を供給して、水中電動ポンプ３ｂを追っかけ運転させる。また、制御部１１は、通知部１２の水中電動ポンプ３ｂのＬＥＤを点滅させる。その後、ステップＳ１に戻る。
【００３７】
ステップＳ２においてメインポンプが水中電動ポンプ３ｂであると判断されると、ステップＳ６において、制御部１１は、水中電動ポンプ３ｂをＯＮにする。具体的には、制御部１１は、水中電動ポンプ３ｂに電力を供給して、水中電動ポンプ３ｂを運転させる。また、制御部１１は、通知部１２の水中電動ポンプ３ｂのＬＥＤをＯＮにする（点灯させる）。
【００３８】
ステップＳ７において、制御部１１は、水中電動ポンプ３ｂの運転時間が第１所定時間を超過しているか否かを判断する。運転時間が第１所定時間を超過していれば、ステップＳ８に進み、運転時間が第１所定時間を超過していなければ、ステップＳ１に戻る。ステップＳ８において、制御部１１は、水中電動ポンプ３ａをＯＮにする。具体的には、制御部１１は、水中電動ポンプ３ａに電力を供給して、水中電動ポンプ３ａを追っかけ運転させる。また、制御部１１は、通知部１２の水中電動ポンプ３ａのＬＥＤを点滅させる。その後、ステップＳ１に戻る。
【００３９】
ステップＳ１において水位がＯＮ水位後ＯＦＦ水位以下と判断されると、ステップＳ９において、制御部１１は、水中電動ポンプ３ａおよび３ｂをＯＦＦにする。具体的には、制御部１１は、水中電動ポンプ３ａおよび３ｂへの電力の供給を停止して、水中電動ポンプ３ａおよび３ｂの運転を停止させる。なお、この場合、運転中の水中電動ポンプは、運転が停止され、停止中の水中電動ポンプは、停止が継続される。
【００４０】
ステップＳ１０において、制御部１１は、通知処理を行う。なお、通知処理の詳細については、後述する。その後、ステップＳ１１において、制御部１１は、メインポンプを切り替える。つまり、メインポンプが水中電動ポンプ３ａである場合、メインポンプを水中電動ポンプ３ｂに切替える。一方、メインポンプが水中電動ポンプ３ｂである場合、メインポンプを水中電動ポンプ３ａに切替える。なお、水中電動ポンプ本体の異常などにより、一方の水中電動ポンプの使用が停止されている場合、ステップＳ１１において、メインポンプは切り替えられない。
【００４１】
（通知処理）
図４を参照して、制御装置１（制御部１１）による図３のステップＳ１０の通知処理について説明する。
【００４２】
ステップＳ２１において、制御部１１は、メインポンプが水中電動ポンプ３ａであるか、または、水中電動ポンプ３ｂであるかを判断する。メインポンプが水中電動ポンプ３ａであれば、ステップＳ２２に進み、メインポンプが水中電動ポンプ３ｂであれば、ステップＳ３４に進む。
【００４３】
ステップＳ２２において、制御部１１は、水中電動ポンプ３ａの運転時間が第１所定時間に対して２倍以上超過したか否かを判断する。つまり、制御部１１は、水中電動ポンプ３ａの運転時間が第２所定時間を超過したか否かを判断する。超過していなければ、ステップＳ２３に進み、超過していれば、ステップＳ３３に進む。ステップＳ２３において、制御部１１は、水中電動ポンプ３ａの運転時間が第１所定時間を超過したか否かを判断する。超過していなければ、ステップＳ２４に進み、超過していれば、ステップＳ２５に進む。
【００４４】
ステップＳ２４において、制御部１１は、通知部１２の水中電動ポンプ３ａのＬＥＤをＯＦＦにする（消灯させる）。また、制御部１１は、水中電動ポンプ３ａの時間超過回数Ｎａを０にリセットする。ステップＳ２５において、制御部１１は、通知部１２の水中電動ポンプ３ａのＬＥＤを点滅させる。また、制御部１１は、通知部１２の警告ＬＥＤを点滅させる。また、制御部１１は、水中電動ポンプ３ａの時間超過回数ＮａをＮａ＋１とする。
【００４５】
ステップＳ２６において、制御部１１は、水中電動ポンプ３ａの時間超過回数Ｎａが３以上か否かを判断する。Ｎａが３以上であれば、ステップＳ２７に進み、Ｎａが２以下であれば、ステップＳ２８に進む。ステップＳ２７において、制御部１１は、水中電動ポンプ３ａの使用を停止する。つまり、水中電動ポンプ３ａは、次回以降用いられなくなり、水中電動ポンプ３ｂのみが運転されることになる。
【００４６】
ステップＳ２８において、制御部１１は、水中電動ポンプ３ｂの時間超過回数Ｎｂが１以上か否かを判断する。Ｎｂが１未満（＝０）であれば、ステップＳ２９に進み、Ｎｂが１以上であれば、ステップＳ３０に進む。ステップＳ２９において、制御部１１は、通知部１２の水中電動ポンプ３ｂのＬＥＤをＯＮにする（点灯させる）。ステップＳ３０において、制御部１１は、通知部１２の水中電動ポンプ３ｂのＬＥＤを点滅させる。
【００４７】
ステップＳ３１において、制御部１１は、水中電動ポンプ３ａの時間超過回数Ｎａが０であり、かつ、水中電動ポンプ３ｂの時間超過回数Ｎｂが０であるか否かを判断する。Ｎａ＝０かつＮｂ＝０であれば、ステップＳ３２に進み、Ｎａ＝０かつＮｂ＝０でなければ、通知処理が終了される。
【００４８】
ステップＳ３２において、制御部１１は、通知部１２の警告ＬＥＤをＯＦＦにする（消灯させる）。その後、通知処理が終了される。
【００４９】
ステップＳ２２において水中電動ポンプ３ａの運転時間が第１所定時間に対して２倍以上超過したと判断されると、ステップＳ３３において、制御部１１は、通知部１２の水中電動ポンプ３ａのＬＥＤをＯＦＦにする（消灯させる）。また、制御部１１は、通知部１２の水中電動ポンプ３ｂのＬＥＤをＯＮにする（点灯させる）。また、制御部１１は、通知部１２の警告ＬＥＤをＯＮにする（点灯させる）。その後、通知処理が終了される。
【００５０】
ステップＳ２１においてメインポンプが水中電動ポンプ３ｂであると判断されると、ステップＳ３４において、制御部１１は、水中電動ポンプ３ｂの運転時間が第１所定時間に対して２倍以上超過したか否かを判断する。つまり、制御部１１は、水中電動ポンプ３ｂの運転時間が第２所定時間を超過したか否かを判断する。超過していなければ、ステップＳ３５に進み、超過していれば、ステップＳ４５に進む。ステップＳ３５において、制御部１１は、水中電動ポンプ３ｂの運転時間が第１所定時間を超過したか否かを判断する。超過していなければ、ステップＳ３６に進み、超過していれば、ステップＳ３７に進む。
【００５１】
ステップＳ３６において、制御部１１は、通知部１２の水中電動ポンプ３ｂのＬＥＤをＯＦＦにする（消灯させる）。また、制御部１１は、水中電動ポンプ３ｂの時間超過回数Ｎｂを０にリセットする。ステップＳ３７において、制御部１１は、通知部１２の水中電動ポンプ３ｂのＬＥＤを点滅させる。また、制御部１１は、通知部１２の警告ＬＥＤを点滅させる。また、制御部１１は、水中電動ポンプ３ｂの時間超過回数ＮｂをＮｂ＋１とする。
【００５２】
ステップＳ３８において、制御部１１は、水中電動ポンプ３ａの時間超過回数Ｎｂが３以上か否かを判断する。Ｎｂが３以上であれば、ステップＳ３９に進み、Ｎｂが２以下であれば、ステップＳ４０に進む。ステップＳ３９において、制御部１１は、水中電動ポンプ３ｂの使用を停止する。つまり、水中電動ポンプ３ｂは、次回以降用いられなくなり、水中電動ポンプ３ａのみが運転されることになる。
【００５３】
ステップＳ４０において、制御部１１は、水中電動ポンプ３ｂの時間超過回数Ｎａが１以上か否かを判断する。Ｎａが１未満（＝０）であれば、ステップＳ４１に進み、Ｎａが１以上であれば、ステップＳ４２に進む。ステップＳ４１において、制御部１１は、通知部１２の水中電動ポンプ３ａのＬＥＤをＯＮにする（点灯させる）。ステップＳ４２において、制御部１１は、通知部１２の水中電動ポンプ３ａのＬＥＤを点滅させる。
【００５４】
ステップＳ４３において、制御部１１は、水中電動ポンプ３ａの時間超過回数Ｎａが０であり、かつ、水中電動ポンプ３ｂの時間超過回数Ｎｂが０であるか否かを判断する。Ｎａ＝０かつＮｂ＝０であれば、ステップＳ４４に進み、Ｎａ＝０かつＮｂ＝０でなければ、通知処理が終了される。
【００５５】
ステップＳ４４において、制御部１１は、通知部１２の警告ＬＥＤをＯＦＦにする（消灯させる）。その後、通知処理が終了される。
【００５６】
ステップＳ３４において水中電動ポンプ３ｂの運転時間が第１所定時間に対して２倍以上超過したと判断されると、ステップＳ４５において、制御部１１は、通知部１２の水中電動ポンプ３ａのＬＥＤをＯＮにする（点灯させる）。また、制御部１１は、通知部１２の水中電動ポンプ３ｂのＬＥＤをＯＦＦにする（消灯させる）。また、制御部１１は、通知部１２の警告ＬＥＤをＯＮにする（点灯させる）。その後、通知処理が終了される。
【００５７】
（第１動作例）
図５を参照して、本実施形態の電動ポンプシステム１００の第１動作例について説明する。第１動作例では、運転中の水中電動ポンプ３ａが第１所定時間を超過して、水中電動ポンプ３ｂが追っかけ運転を行って排水を行った後、正常に戻った例について説明する。
【００５８】
時間ｔ０において、電動ポンプシステム１００の電源がＯＮにされる。この際、メインポンプは水中電動ポンプ３ａと設定され、通知部１２の水中電動ポンプ３ａのＬＥＤが点灯される。時間ｔ１において、水位がＯＮ水位以上となると、水中電動ポンプ３ａの運転が開始される。運転開始から第１所定時間経過後の時間ｔ２において、水中電動ポンプ３ａの運転が第１所定時間を超過したとして、水中電動ポンプ３ｂが追っかけ運転される。この際、水中電動ポンプ３ｂが追っかけ運転しているとして、通知部１２の水中電動ポンプ３ｂのＬＥＤが点滅される。
【００５９】
その後、時間ｔ３において、水位がＯＦＦ水位以下となると、水中電動ポンプ３ａおよび３ｂの運転が停止される。この際、水中電動ポンプ３ａの運転時間が第１所定時間を超過したとして、通知部１２の水中電動ポンプ３ａのＬＥＤが点滅される。また、メインポンプが水中電動ポンプ３ｂと設定され、通知部１２の水中電動ポンプ３ｂのＬＥＤが点灯される。また、水中電動ポンプ３ａの運転時間が第１所定時間を超過したとして、通知部１２の警告ＬＥＤが点滅される。
【００６０】
時間ｔ４において、水位がＯＮ水位以上となると、水中電動ポンプ３ｂの運転が開始される。運転開始から第１所定時間経過前の時間ｔ５において、水位がＯＦＦ水位以下となると、水中電動ポンプ３ｂの運転が停止される。この際、メインポンプが水中電動ポンプ３ａと設定され、通知部１２の水中電動ポンプ３ｂのＬＥＤが消灯される。なお、通知部１２の水中電動ポンプ３ａのＬＥＤの点滅は維持される。また、通知部１２の警告ＬＥＤの点滅も維持される。
【００６１】
時間ｔ６において、水位がＯＮ水位以上となると、水中電動ポンプ３ａの運転が開始される。運転開始から第１所定時間経過前の時間ｔ７において、水位がＯＦＦ水位以下となると、水中電動ポンプ３ａの運転が停止される。この際、水中電動ポンプ３ａの運転時間は、第１所定時間を超過しなかったので、正常運転に戻った（つまり、水中電動ポンプ３ａに不具合は生じていなかった）として、通知部１２の水中電動ポンプ３ａのＬＥＤが消灯される。また、通知部１２の警告ＬＥＤも消灯される。また、メインポンプが水中電動ポンプ３ｂと設定され、通知部１２の水中電動ポンプ３ｂのＬＥＤが点灯される。
【００６２】
（第２動作例）
図６を参照して、本実施形態の電動ポンプシステム１００の第２動作例について説明する。第２動作例では、運転中の水中電動ポンプ３ａが第１所定時間を超過して、水中電動ポンプ３ｂが追っかけ運転を行って排水を行い、メインポンプが切り替わり、運転中の水中電動ポンプ３ｂが第１所定時間を超過して、水中電動ポンプ３ａが追っかけ運転を行って排水を行った後、正常に戻った例について説明する。
【００６３】
時間ｔ１０において、電動ポンプシステム１００の電源がＯＮにされる。この際、メインポンプは水中電動ポンプ３ａと設定され、通知部１２の水中電動ポンプ３ａのＬＥＤが点灯される。時間ｔ１１において、水位がＯＮ水位以上となると、水中電動ポンプ３ａの運転が開始される。運転開始から第１所定時間経過後の時間ｔ１２において、水中電動ポンプ３ａの運転が第１所定時間を超過したとして、水中電動ポンプ３ｂが追っかけ運転される。この際、水中電動ポンプ３ｂが追っかけ運転しているとして、通知部１２の水中電動ポンプ３ｂのＬＥＤが点滅される。
【００６４】
その後、時間ｔ１３において、水位がＯＦＦ水位以下となると、水中電動ポンプ３ａおよび３ｂの運転が停止される。この際、水中電動ポンプ３ａの運転時間が第１所定時間を超過したとして、通知部１２の水中電動ポンプ３ａのＬＥＤが点滅される。また、メインポンプが水中電動ポンプ３ｂと設定され、通知部１２の水中電動ポンプ３ｂのＬＥＤが点灯される。また、水中電動ポンプ３ａの運転時間が第１所定時間を超過したとして、通知部１２の警告ＬＥＤが点滅される。
【００６５】
時間ｔ１４において、水位がＯＮ水位以上となると、水中電動ポンプ３ｂの運転が開始される。運転開始から第１所定時間経過後の時間ｔ１５において、水中電動ポンプ３ｂの運転が第１所定時間を超過したとして、水中電動ポンプ３ａが追っかけ運転される。この際、水中電動ポンプ３ａが追っかけ運転しているとして、通知部１２の水中電動ポンプ３ａのＬＥＤが点滅される。つまり、通知部１２の水中電動ポンプ３ａのＬＥＤの点滅が維持される。
【００６６】
その後、時間ｔ１６において、水位がＯＦＦ水位以下となると、水中電動ポンプ３ａおよび３ｂの運転が停止される。この際、水中電動ポンプ３ｂの運転時間が第１所定時間を超過したとして、通知部１２の水中電動ポンプ３ｂのＬＥＤが点滅される。なお、通知部１２の水中電動ポンプ３ａのＬＥＤの点滅は維持される。また、通知部１２の警告ＬＥＤの点滅も維持される。
【００６７】
時間ｔ１７において、水位がＯＮ水位以上となると、水中電動ポンプ３ａの運転が開始される。この際、水中電動ポンプ３ａがメインポンプとして運転中であるとして、通知部１２の水中電動ポンプ３ａのＬＥＤが点灯される。運転開始から第１所定時間経過前の時間ｔ１８において、水位がＯＦＦ水位以下となると、水中電動ポンプ３ａの運転が停止される。この際、水中電動ポンプ３ａの運転時間は、第１所定時間を超過しなかったので、正常運転に戻った（つまり、水中電動ポンプ３ａに不具合は生じていなかった）として、通知部１２の水中電動ポンプ３ａのＬＥＤが消灯される。なお、通知部１２の水中電動ポンプ３ｂのＬＥＤの点滅は維持される。また、通知部１２の警告ＬＥＤの点滅も維持される。
【００６８】
時間ｔ１９において、水位がＯＮ水位以上となると、水中電動ポンプ３ｂの運転が開始される。この際、水中電動ポンプ３ｂがメインポンプとして運転中であるとして、通知部１２の水中電動ポンプ３ｂのＬＥＤが点灯される。運転開始から第１所定時間経過前の時間ｔ２０において、水位がＯＦＦ水位以下となると、水中電動ポンプ３ｂの運転が停止される。この際、水中電動ポンプ３ｂの運転時間は、第１所定時間を超過しなかったので、正常運転に戻った（つまり、水中電動ポンプ３ｂに不具合は生じていなかった）として、通知部１２の水中電動ポンプ３ｂのＬＥＤが消灯される。また、通知部１２の警告ＬＥＤも消灯される。また、メインポンプが水中電動ポンプ３ａと設定され、通知部１２の水中電動ポンプ３ａのＬＥＤが点灯される。
【００６９】
（第３動作例）
図７を参照して、本実施形態の電動ポンプシステム１００の第３動作例について説明する。第３動作例では、運転中の水中電動ポンプ３ａが第１所定時間を超過して、水中電動ポンプ３ｂが追っかけ運転を行ってもなお、第１所定時間の２倍の時間以上超過して排水を行った後、正常に戻った例について説明する。
【００７０】
時間ｔ３０において、電動ポンプシステム１００の電源がＯＮにされる。この際、メインポンプは水中電動ポンプ３ａと設定され、通知部１２の水中電動ポンプ３ａのＬＥＤが点灯される。時間ｔ３１において、水位がＯＮ水位以上となると、水中電動ポンプ３ａの運転が開始される。運転開始から第１所定時間経過後の時間ｔ３２において、水中電動ポンプ３ａの運転が第１所定時間を超過したとして、水中電動ポンプ３ｂが追っかけ運転される。この際、水中電動ポンプ３ｂが追っかけ運転しているとして、通知部１２の水中電動ポンプ３ｂのＬＥＤが点滅される。
【００７１】
その後、追っかけ運転開始から第１所定時間の２倍以上の時間以上経過後（水中電動ポンプ３ａの運転開始から第２所定時間以上経過後）の時間ｔ３３において、水位がＯＦＦ水位以下となると、水中電動ポンプ３ａおよび３ｂの運転が停止される。この際、水中電動ポンプ３ａおよび３ｂの両方を運転してもなお、運転時間が第２所定時間を超過したとして、通知部１２の警告ＬＥＤが点灯される。また、メインポンプが水中電動ポンプ３ｂと設定され、通知部１２の水中電動ポンプ３ｂのＬＥＤが点灯される。また、この場合、どちらの水中電動ポンプに、運転時間が第２所定時間を超過した原因があるか特定できないため、水中電動ポンプ３ａのＬＥＤについては敢えて点灯も点滅もされない。
【００７２】
時間ｔ３４において、水位がＯＮ水位以上となると、水中電動ポンプ３ｂの運転が開始される。運転開始から第１所定時間経過前の時間ｔ３５において、水位がＯＦＦ水位以下となると、水中電動ポンプ３ｂの運転が停止される。この際、メインポンプが水中電動ポンプ３ａと設定され、通知部１２の水中電動ポンプ３ａのＬＥＤが点灯される。また、通知部１２の水中電動ポンプ３ｂのＬＥＤが消灯される。この際、水中電動ポンプ３ａは、前回の運転時に第１所定時間を超えているものの、どちらの水中電動ポンプに原因があるか特定できないため、通知部１２の水中電動ポンプ３ａのＬＥＤは、点滅ではなく点灯とされ、通知部１２の警告ＬＥＤの点灯が継続される。
【００７３】
時間ｔ３６において、水位がＯＮ水位以上となると、水中電動ポンプ３ａの運転が開始される。運転開始から第１所定時間経過前の時間ｔ３７において、水位がＯＦＦ水位以下となると、水中電動ポンプ３ａの運転が停止される。この際、メインポンプが水中電動ポンプ３ｂと設定され、通知部１２の水中電動ポンプ３ｂのＬＥＤが点灯される。さらに、水中電動ポンプ３ｂに続き、水中電動ポンプ３ａも正常に運転を終了することができたので、いずれの水中電動ポンプにも不具合が生じていなかったとして、通知部１２の警告ＬＥＤが消灯される。
【００７４】
（モード切替処理）
図８を参照して、制御装置１（制御部１１）によるモード切替処理について説明する。
【００７５】
電動ポンプシステム１００が起動されると、ステップＳ５１において、制御部１１は、自動のポンプ交互運転処理を実行する。具体的には、制御部１１は、図３に示すポンプ交互運転処理を実行する。ステップＳ５２において、制御部１１は、操作部１３のモード切替ボタンが押下（操作）されたか否かを判断する。モード切替ボタンが押下されれば、ステップＳ５３に進み、モード切替ボタンが押下されなければ、ステップＳ５１に戻り、自動のポンプ交互運転処理が継続して行われる。
【００７６】
ステップＳ５３において、制御部１１は、手動モードに変更する。つまり、制御部１１は、水中電動ポンプ３ａまたは３ｂの運転を自動運転から手動運転に切り替える。ステップＳ５４において、制御部１１は、タンク２内の水位を判断する。具体的には、制御部１１は、水位検知部４の検知結果に基づいて、タンク２内の水位がＯＮ水位以上となったか否かを判断する。タンク２内の水位が、ＯＮ水位以上となったと判断されれば、ステップＳ５１に戻り、水中電動ポンプ３ａおよび３ｂの運転が手動運転から自動運転に切り替えられる。タンク２内の水位が、ＯＮ水位以上になっていないと判断されれば、ステップＳ５５に進む。
【００７７】
ステップＳ５５において、制御部１１は、手動運転に切り替えられてから所定時間内に操作部１３の起動／停止ボタンが操作されたか否かを判断する。所定時間（たとえば、１０秒）以内に起動／停止ボタンが操作されれば、ステップＳ５６に進む。所定時間内に起動／停止ボタンが操作されなければ、ステップＳ５１に戻り、水中電動ポンプ３ａおよび３ｂの運転が手動運転から自動運転に切り替えられる。
【００７８】
ステップＳ５６において、制御部１１は、水中電動ポンプ３ａまたは３ｂのうち選択された水中電動ポンプの運転を開始する。ステップＳ５７において、制御部１１は、操作部１３の起動／停止ボタンが操作されたか否かを判断する。起動／停止ボタンが操作されれば、ステップＳ５８に進み、起動／停止ボタンが操作されなければ、ステップＳ６０に進む。
【００７９】
ステップＳ５８において、制御部１１は、水中電動ポンプ３ａまたは３ｂのうち運転されている水中電動ポンプの運転を停止する。ステップＳ５９において、制御部１１は、水位検知部４の検知結果に基づいて、タンク２内の水位がＯＮ水位以上となったか否かを判断する。タンク２内の水位が、ＯＮ水位以上となったと判断されれば、ステップＳ５１に戻り、水中電動ポンプ３ａおよび３ｂの運転が手動運転から自動運転に切り替えられる。タンク２内の水位が、ＯＮ水位以上になっていないと判断されれば、ステップＳ５８に戻る。
【００８０】
ステップＳ５７において起動／停止ボタンが操作されていないと判断されると、ステップＳ６０において、制御部１１は、水中電動ポンプ３ａまたは３ｂのうち運転されている水中電動ポンプの運転を継続する。ステップＳ６１において、制御部１１は、水位検知部４の検知結果に基づいて、タンク２内の水位がＯＮ水位以上となったか否かを判断する。タンク２内の水位が、ＯＮ水位以上となったと判断されれば、ステップＳ５１に戻り、水中電動ポンプ３ａおよび３ｂの運転が手動運転から自動運転に切り替えられる。タンク２内の水位が、ＯＮ水位以上になっていないと判断されれば、ステップＳ６０に戻る。
【００８１】
（手動運転における水中電動ポンプ切替処理）
図９を参照して、制御装置１（制御部１１）による手動運転における水中電動ポンプ切替処理について説明する。
【００８２】
ステップＳ７１において、制御部１１は、自動のポンプ交互運転処理を実行する。具体的には、制御部１１は、図３に示すポンプ交互運転処理を実行する。ステップＳ７２において、制御部１１は、操作部１３のモード切替ボタンが押下（操作）されたか否かを判断する。モード切替ボタンが押下されれば、ステップＳ７３に進み、水中電動ポンプ３ａまたは３ｂの運転が手動運転に切り替えられる。モード切替ボタンが押下されなければ、ステップＳ７１の判断を繰り返し、自動のポンプ交互運転処理が継続して行われる。
【００８３】
ステップＳ７３において、水中電動ポンプ３ａが手動運転されるように切り替えられる。つまり、操作部１３のモード切替ボタンが１回押下された場合、手動により運転される水中電動ポンプとして、水中電動ポンプ３ａが選択される。
【００８４】
ステップＳ７４において、制御部１１は、操作部１３のモード切替ボタンが押下（操作）されたか否かを判断する。モード切替ボタンが押下されれば、ステップＳ７５に進み、モード切替ボタンが押下されなければ、ステップＳ７３に戻る。ステップＳ７５において、水中電動ポンプ３ｂが手動運転されるように切り替えられる。つまり、操作部１３のモード切替ボタンが２回押下された場合、手動により運転される水中電動ポンプとして、水中電動ポンプ３ｂが選択される。また、ステップＳ７５に進んだ際に、制御部１１は、所定時間内に操作部１３の起動／停止ボタン、あるいはモード切替ボタンが操作されたか否かのカウントをリセットする。すなわち、制御部１１は、水中電動ポンプ３ａから水中電動ポンプ３ｂの手動運転に切り替えられた際に、操作部１３の起動／停止ボタン、あるいはモード切替ボタンが操作されたか否かについての所定時間（たとえば、１０秒）の計測を、改めて０秒から行う。
【００８５】
ステップＳ７６において、制御部１１は、操作部１３のモード切替ボタンが押下（操作）されたか否かを判断する。モード切替ボタンが押下されれば、ステップＳ７７に進み、モード切替ボタンが押下されなければ、ステップＳ７６の判断が繰り返される。ステップＳ７７において、水中電動ポンプ３ａおよび３ｂの運転が手動運転から自動運転に切り替えられる。つまり、操作部１３のモード切替ボタンが３回押下された場合、水中電動ポンプ３ａおよび３ｂの運転が自動運転に戻される。
【００８６】
（実施形態の効果）
本実施形態では、以下のような効果を得ることができる。
【００８７】
本実施形態では、上記のように、水中電動ポンプ３ａおよび３ｂの運転を自動運転と手動運転とに切り替え可能であり、水中電動ポンプ３ａまたは３ｂが手動運転に設定されている場合に、水位検知部４により所定の水位を検知したことに基づいて、水中電動ポンプ３ａおよび３ｂを自動運転に切り替える制御装置１を設ける。これにより、水位検知部４により所定の水位を検知して水を排水する必要が生じた場合において、水中電動ポンプ３ａまたは３ｂが手動運転に設定された状態が継続して水中電動ポンプ３ａまたは３ｂが運転しないのを防止することができる。たとえば、水中電動ポンプ３ａまたは３ｂを手動運転に設定して、自動運転に切り替えるのを忘れて放置された場合でも、水中電動ポンプ３ａおよび３ｂの運転を自動運転に切り替えることができるので、タンク２の水があふれるのを抑制することができる。その結果、水中電動ポンプ３ａおよび３ｂの運転を自動運転と手動運転とに切り替えることが可能な電動ポンプシステム１００において、水中電動ポンプ３ａまたは３ｂの運転が手動運転に切り替えられて放置された場合にも、排水を適切に行うことができる。
【００８８】
また、本実施形態では、上記のように、制御装置１を、水中電動ポンプ３ａまたは３ｂが手動運転に設定されている場合に、自動運転において水中電動ポンプ３ａまたは３ｂを運転させる水位を水位検知部４により検知したことに基づいて、水中電動ポンプ３ａおよび３ｂを自動運転に切り替えるように構成する。これにより、水中電動ポンプ３ａまたは３ｂが手動運転に設定されている場合でも、タンク２の水位が排水すべき水位になった時点で、水中電動ポンプ３ａおよび３ｂの運転を手動運転から自動運転に自動的に切り替えることができる。
【００８９】
また、本実施形態では、上記のように、制御装置１を、水中電動ポンプ３ａまたは３ｂが手動運転に切り替えられてから、操作入力が所定時間ない場合に、水中電動ポンプ３ａおよび３ｂを自動運転に切り替えるように構成する。これにより、誤操作により水中電動ポンプ３ａまたは３ｂが手動運転に切り替えられた場合でも、所定時間経過後に自動運転に戻すことができるので、誤操作により水中電動ポンプ３ａまたは３ｂが手動運転の状態で放置されるのを防止することができる。
【００９０】
また、本実施形態では、上記のように、水中電動ポンプ３ａまたは３ｂを手動運転する場合、複数の水中電動ポンプ３ａまたは３ｂを１台ずつ手動により運転させることが可能に構成する。これにより、手動運転において、水中電動ポンプ３ａおよび３ｂを１台ずつ試運転することができるので、手動運転により各々の水中電動ポンプ３ａおよび３ｂが運転可能な状態であるか容易に確認することができる。
【００９１】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００９２】
たとえば、上記実施形態では、電動ポンプとして水中電動ポンプを用いる構成の例を示したが、本発明はこれに限らない。本発明では、電動ポンプとして陸上電動ポンプを用いてもよい。
【００９３】
また、上記実施形態では、電動ポンプシステムに水中電動ポンプ（電動ポンプ）を２台設ける構成の例を示したが、本発明はこれに限らない。本発明では、電動ポンプシステムに３以上の電動ポンプを設けてもよい。この場合、電動ポンプを１台ずつ順番に交互に運転させてもよいし、電動ポンプを複数台ずつ順番に交互に運転させてもよい。
【００９４】
また、上記実施形態では、通知部の点灯、点滅により警告を通知する構成の例を示したが、本発明はこれに限らない。本発明では、通知部により、視覚的、聴覚的、触覚的、嗅覚的のいずれの手段およびその組み合わせにおいて通知してもよい。また、通信により遠隔の端末に警告を通知してもよい。
【００９５】
また、上記実施形態では、制御装置の操作部により操作が行われる構成の例を示したが、本発明はこれに限らない。本発明では、制御装置の外部に設けられた機器により、操作が行われてもよい。たとえば、有線または無線により通信可能な端末やリモコンにより操作が行われてもよい。
【００９６】
また、上記実施形態では、水中電動ポンプ（電動ポンプ）をタンク内に配置する構成の例を示したが、本発明はこれに限らない。本発明では、電動ポンプをタンク以外の排水が必要な領域に配置してもよい。たとえば、池、河川、湖などに電動ポンプを配置してもよいし、上水設備または下水設備に電動ポンプを配置してもよい。
【符号の説明】
【００９７】
１  制御装置（電動ポンプ交互運転制御装置）
３ａ、３ｂ  水中電動ポンプ（電動ポンプ）
４  水位検知部
１１  制御部
１３  操作部
１００  電動ポンプシステム
【図１】
2018091215.tif 000003
【図２】
2018091215.tif 000004
【図３】
2018091215.tif 000005
【図４】
2018091215.tif 000006
【図５】
2018091215.tif 000007
【図６】
2018091215.tif 000008
【図７】
2018091215.tif 000009
【図８】
2018091215.tif 000010
【図９】
2018091215.tif 000011